(57)【要約】【課題】意匠の審美性を向上させた操作器具を提供する。【解決手段】本発明は、操作部材と、操作部材が嵌まる孔を有する板状のハーフミラーと、ハーフミラーの板厚方向にハーフミラーから所定の空間をおき、ハーフミラーと相対して設けられる板状のミラーと、操作部材を囲むように、かつ所定の空間よりも外側に設けられ、光を所定の空間の中に導く導光板と、を備え、ハーフミラーは、ミラーと相対する側に、光を反射させる反射面を有し、ミラーは、ハーフミラーが設けられている方向から光が入射した場合に、ハーフミラーが設けられている方向へ光を反射させる反射面を有する、操作器具である。【選択図】図１
2020107583.tif 000002
【特許請求の範囲】
【請求項１】
操作部材と、
前記操作部材が嵌まる孔を有する板状のハーフミラーと、
前記ハーフミラーの板厚方向に前記ハーフミラーから所定の空間をおき、前記ハーフミラーと相対して設けられる板状のミラーと、
前記操作部材を囲むように、かつ前記所定の空間よりも外側に設けられ、光を前記所定の空間の中に導く導光板と、を備え、
前記ハーフミラーは、前記ミラーと相対する側に、光を反射させる反射面を有し、
前記ミラーは、前記ハーフミラーが設けられている方向から光が入射した場合に、前記ハーフミラーが設けられている方向へ光を反射させる反射面を有する、
操作器具。
【請求項２】
前記ミラーが有する前記反射面は、前記ハーフミラーと相対する側に設けられる、
請求項１に記載の操作器具。
【請求項３】
前記操作部材の表面の光の反射率は、前記ミラーの光の反射率及び前記ハーフミラーの光の反射率よりも低く、
前記孔に嵌められた前記操作部材の表面の少なくとも一部は、前記所定の空間の中に位置し、
前記所定の空間の中に位置する前記操作部材の表面の外周に、光を反射させる反射体をさらに備え、
前記反射体は、前記ハーフミラーと前記ミラーとが相対する方向からみて側方向かつ外側方向へ尖る部分を有する、
請求項１又は２に記載の操作器具。
【請求項４】
前記ハーフミラー及び前記ミラーの形状はリング状であり、
前記ハーフミラーと前記ミラーとが相対する方向に対する前記操作部材の断面の形状は円状であり、
前記所定の空間の外部に設けられる光源をさらに備え、
前記導光板は、前記光源から発せられた光を前記所定の空間の中に導く、
請求項１から３のうち何れか１項に記載の操作器具。
【請求項５】
請求項１から４のうち何れか１項に記載の操作器具を備える、
電子機器。
【発明の詳細な説明】
【技術分野】
【０００１】
本発明は、操作器具及び電子機器に関する。
【背景技術】
【０００２】
ＬＥＤ（Ｌｉｇｈｔ  Ｅｍｉｔｔｉｎｇ  Ｄｉｏｄｅ）を使用したイルミネーションが普及している。例えば、特許文献１では、ＬＥＤを使用したイルミネーションにおいて、透明パネルをミラー板とし、ミラー板をハーフミラーと向かい合わせることが開示されている。また、例えば、特許文献２では、パチンコ遊技機をＬＥＤにより電飾する場合において、ＬＥＤに対向する固定板に反射体を設ける技術が開示されている。
【先行技術文献】
【特許文献】
【０００３】
【特許文献１】特開２０１６−２２０９１２号公報
【特許文献２】特開２００９−８２４７２号公報
【発明の概要】
【発明が解決しようとする課題】
【０００４】
所定の機器を操作するための操作器具の周囲にＬＥＤなどの光源を設け、操作に応じて光が表示される操作器具を開発することが考えられる。しかしながら、単に操作器具の周囲に光源を設けて発光させただけでは、光の見え方が平面的となる。よって、光の見え方が平面的とならず、意匠の審美性を向上させた操作器具を発明することが考えられるが、このような操作器具の発明はなされていない。
【０００５】
一つの側面では、本件は、意匠の審美性を向上させた操作器具を提供することを目的とする。
【課題を解決するための手段】
【０００６】
一つの態様では、操作器具は、操作部材と、操作部材が嵌まる孔を有する板状のハーフミラーと、ハーフミラーの板厚方向にハーフミラーから所定の空間をおき、ハーフミラーと相対して設けられる板状のミラーと、操作部材を囲むように、かつ所定の空間よりも外側に設けられ、光を所定の空間の中に導く導光板と、を備え、ハーフミラーは、ミラーと相対する側に、光を反射させる反射面を有し、ミラーは、ハーフミラーが設けられている方向から光が入射した場合に、ハーフミラーが設けられている方向へ光を反射させる反射面を有する。
【発明の効果】
【０００７】
上記の操作器具は、意匠の審美性を向上させた操作器具を提供することができる。
【図面の簡単な説明】
【０００８】
【図１】図１は、実施形態に係る操作器具の概要の一例を示した図である。
【図２】図２は、図１におけるＡ−Ａ矢印断面図である。
【図３】図３は、ＬＥＤが発光した場合の操作器具における光の進行具合の一例を示している。
【図４】図４は、ＬＥＤが発光した場合のハーフミラーに表示される光の概要の一例を示している。
【発明を実施するための形態】
【０００９】
以下、本発明の実施形態について説明する。以下に示す実施形態は、本発明の実施形態の一例であり、本発明の技術的範囲を以下の態様に限定するものではない。
【００１０】
＜構成例＞
図１は、本実施形態に係る操作器具１の概要の一例を示した図である。また、図２は、図１におけるＡ−Ａ矢印断面図である。
【００１１】
図１、図２に示される操作器具１は、例えばオーディオ機器に設置され、オーディオ機器から出力される音量を操作するための器具である。操作器具１は、スイッチ２を備える。スイッチ２は、円柱状であり、中心を通る垂直な軸に対して回動可能である。ここで、スイッチ２は、本発明の「操作部材」の一例である。また、オーディオ機器は、本発明の「電子機器」の一例である。また、オーディオ機器から出力される音量は、本発明の「操作対象」の一例である。スイッチ２が回動した場合、回路の抵抗値が変化することにより、オーディオ機器から出力される音量が操作される。
【００１２】
また、操作器具１は、ハーフミラー３及びミラー４を備える。ハーフミラー３及びミラー４は、円盤状かつリング状であり、樹脂により形成される。ハーフミラー３の光の透過率は、例えば３０％である。ハーフミラー３とミラー４とは、空間５をおいて相対して設けられる。ここで、空間５は、本発明の「所定の空間」の一例である。
【００１３】
また、ハーフミラー３及びミラー４の中央部分には孔が夫々設けられている。そして、スイッチ２は、ハーフミラー３の孔とミラー４の孔にそれぞれ嵌まるように設けられる。
【００１４】
また、ハーフミラー３と相対する位置にあるミラー４の表面６には、アルミニウムが蒸着されている。また、アルミニウムが蒸着された表面６は、ＵＶ（Ｕｌｔｒａ  Ｖｉｏｌｅｔ）コーティングされている。
【００１５】
また、操作器具１は、筐体７を備える。筐体７は、ハーフミラー３及びミラー４を収容する。
【００１６】
また、操作器具１は、基板８を備える。基板８は、空間５の外部であって、ミラー４よりも下方に設けられる。基板８の形状は、リング状である。
【００１７】
また、操作器具１は、ＬＥＤ９を備える。ＬＥＤ９は、基板８の上にスイッチ２を囲むように円周上に等間隔で実装される。ここで、基板８に実装されるＬＥＤ９の個数は何個でもよい。また、ＬＥＤ９は、空間５の外部に設けられていればよく、円周上に等間隔に実装されていなくともよい。ここで、ＬＥＤは、本発明の「光源」の一例である。
【００１８】
また、操作器具１は、導光板１０を備える。導光板１０の形状はリング状である。そして、導光板１０は、ＬＥＤ９の上方であって、スイッチ２を囲むように空間５の外周部分に設けられる。
【００１９】
また、スイッチ２の外表面は、ハーフミラー３の光の反射率及びミラー４の光の反射率よりも低い光の反射率となる素材から形成される。そして、操作器具１は、反射体１１を備える。反射体１１は、空間５に位置するスイッチ２の表面の外周に設けられる円筒状の物体である。また、反射体１１の外表面は、ハーフミラー３とミラー４とが相対する方向からみて側方向（導光板１０が位置する方向）へ先細りし、尖った形状をしている先端部１２を有する。すなわち、先端部１２に光が到達した場合、先端部１２において光は反射する。また、先端部１２は、光を反射させればよく、丸い部分を含んでもよい。
【００２０】
＜動作例＞
図３は、ＬＥＤ９が発光した場合の操作器具１における光の進行具合の一例を示している。ＬＥＤ９から発せられた光は、リング状の導光板１０を介して空間５の中へ導かれる。
【００２１】
空間５の中を進行する光のうち少なくとも一部は、ハーフミラー３の表面に達する。そして、ハーフミラー３の表面に達した光のうち少なくとも一部は、ハーフミラー３を透過し系外へ進行する。また、ハーフミラー３の表面に達した光のうち少なくとも一部は、当該ハーフミラー３の表面において反射し、空間５の中を進行することとなる。ここで、当該ハーフミラー３の表面は、本発明の「ハーフミラーが有する反射面」の一例である。
【００２２】
また、空間５の中を進行する光のうち少なくとも一部は、ミラー４の表面６に達する。表面６はアルミニウムが蒸着されているため、表面６に達した光は、表面６において反射し、空間５の中を進行することとなる。ここで、表面６は、本発明の「ミラーが有する反射面」の一例である。
【００２３】
また、空間５の中を進行する光のうち少なくとも一部は、反射体１１の先端部１２に達する。先端部１２は尖った形状であるため、先端部１２に達した光は、先端部１２において反射し、空間５の中を進行することとなる。
【００２４】
図４は、ＬＥＤ９が発光した場合の、ハーフミラー３に表示される光の概要の一例を示している。図３に示されるように、ＬＥＤ９から発せられた光は、リング状の導光板１０を介して空間５の中へ導かれている。そして、空間５の中へ導かれた光のうち少なくとも一部は、ハーフミラー３を透過して系外へ進行する。よって、図４に示されるように、ハーフミラー３に表示される光１３は、リング状となる。
【００２５】
また、空間５の中を進行する光のうち少なくとも一部は、ハーフミラー３とミラー４との間を行き来した後に、ハーフミラー３を透過して系外へ進行する。すなわち、ハーフミラー３に表示される光１３は、スイッチ２へ近づくに従い、奥側に存在するように見える。
【００２６】
ところで、ミラー４の表面６にアルミニウム蒸着がされておらず、表面６から見て裏面にアルミニウムが蒸着されている場合、表面６に達した光はミラー４を透過し、裏面に達する。そして、裏面に達した光は、裏面にアルミニウムが蒸着されているため、反射する。すなわち、光は、裏面において反射する前にミラー４を透過することとなり、ミラー４を透過する際に減衰することとなる。よって、ミラー４を透過し、減衰した後に裏面において反射した光が、ハーフミラー３を透過して系外へ進行した場合、ハーフミラー３に表示される光は暗くなる。しかしながら、本実施形態では、ハーフミラー３と相対する位置にある表面６において光は反射するため、ミラー４による光の反射の際に光が減衰することは抑制される。よって、ハーフミラー３に表示される光１３が暗くなることは抑制される。
【００２７】
また、本実施形態では、反射体１１の先端部１２においても光は反射される。そして、先端部１２において反射した光のうち少なくとも一部は、ハーフミラー３を透過して系外へ進行する。よって、スイッチ２の外周の近傍のハーフミラー３においてもリング状の光１３は表示される。また、反射体１１が無い場合と比較して、スイッチ２の外周の近傍のハーフミラー３において表示される光１３が暗くなることは抑制される。
【００２８】
また、本実施形態では、ハーフミラー３に表示される光１３が、スイッチ２の外周の近傍において暗く表示されることを抑制するために、スイッチ２の外周の近傍に新たにＬＥ
Ｄを設けずに済む。よって構造を簡素化することができる。
【００２９】
＜効果＞
上記のような操作器具１であれば、ＬＥＤ９が発光した場合に、スイッチ２の周囲がリング状に発光しているように見える。また、リング状の発光は、スイッチ２へ近づくに従い、奥行き方向に表示されているように見える。よって、光の見え方が単調になることは抑制される。よって、上記のような操作器具１は、意匠の審美性を向上させた操作器具である。
【００３０】
＜変形例＞
上記の実施形態では、スイッチ２は円柱形状であったが、スイッチ２の形状は円柱形状に限定されない。また、ハーフミラー３及びミラー４の形状は円盤状に限定されない。
【００３１】
また、ＬＥＤ９が設けられる場所は、上記の実施形態に限定されない。例えば、空間５にＬＥＤ９がスイッチ２を囲むように設けられてもよく、このような場合、導光板を設けなくともよい。
【００３２】
また、表面６にアルミニウムが蒸着されず、表面６の裏面にアルミニウムが蒸着されてもよい。すなわち、表面６に達した光はミラー４を透過し、裏面に達した場合に、当該裏面に蒸着されるアルミニウムによって反射されてもよい。
【００３３】
また、操作器具１には、反射体１１が設けられていなくともよい。そして、スイッチ２の外表面は、ハーフミラー３の光の反射率あるいはミラー４の光の反射率以上の光の反射率となる素材から形成されてもよい。
【００３４】
また、ハーフミラー３及びミラー４に設けられている、スイッチ２が嵌まる孔は、夫々ハーフミラー３の中央部分及びミラー４の中央部分に設けられていなくともよい。すなわち、操作器具１のスイッチ２は、ハーフミラー３の中央部分に設けられていなくともよい。また、スイッチ２は、ハーフミラー３を貫通していればよく、ミラー４にはスイッチ２が嵌まる孔が設けられていなくともよい。また、操作器具１のスイッチ２の外表面が、空間５の中に存在していなくともよい。
【００３５】
また、操作器具１が設けられる機器は、オーディオ機器でなくともよく、様々な電子機器や家屋に設置される機器であってもよい。例えば、操作器具１は、電動歯ブラシの起動を操作するために当該電動歯ブラシの柄の部分に設けられてもよい。また、例えば、操作器具１は、室内に設けられる照明機器の点灯を操作するために、照明機器と接続された状態で室内の壁等に設けられてもよい。また、スイッチ２は、回転式のスイッチではなく、下方向に押すことにより所定の機器を操作するスイッチでもよい。
【００３６】
以上で開示した実施形態や変形例はそれぞれ組み合わせる事ができる。
【符号の説明】
【００３７】
１・・操作器具；２・・スイッチ；３・・ハーフミラー；４・・ミラー；５・・空間；６・・表面；７・・筐体；８・・基板；９・・ＬＥＤ；１０・・導光板；１１・・反射体；１２・・先端部；１３・・ハーフミラーに表示される光 
【図１】
2020107583.tif 000003
【図２】
2020107583.tif 000004
【図３】
2020107583.tif 000005
【図４】
2020107583.tif 000006